(57)【要約】【課題】インターネットプロトコルによる地上デジタル放送の再送信のごとき地域を限定する放送において、地域外での受信を不可能にすること。【解決手段】地域情報記憶手段３，１３には、受信（中継）装置１０，２０の所在する地域の地域情報を記憶する。地域情報検出手段４，１４は、入力する放送データから受信対象地域である地域情報を検出する。表示（出力）制御手段５，１５は、地域情報記憶手段と地域情報検出手段の地域情報が一致しない場合、入力する放送を表示（出力）しないように制御する。またＩＰによる放送の再送信局社５０との双方向通信により、受信（中継）装置が所在する地域を確認し、登録した地域情報と一致しない場合、入力する放送を表示（出力）させない。【選択図】図１
2007329783.tif 000002
【特許請求の範囲】
【請求項１】
デジタル信号を受信する受信装置において、
地域の情報を入力する入力手段と、
前記デジタル信号を出力する出力手段と、
前記入力手段により入力された前記地域の情報を、前記受信装置に接続された前記受信装置が所在する地域の情報を保有する地域情報保有機関に出力する地域情報出力手段と、
前記地域情報出力手段により前記地域の情報を出力する場合に、前記地域の情報を前記地域情報保有機関に出力するか否かを選択する選択手段と、を備えることを特徴とする受信装置。
【請求項２】
請求項１の受信装置において、
前記選択手段に選択された結果に基づいて前記受信したデジタル信号を出力するかどうかを決定する制御手段を備えることを特徴とする受信装置。
【請求項３】
請求項２記載の受信装置において、
前記制御手段は、前記選択手段により前記地域情報保有機関に前記地域の情報を出力すると選択された場合に前記地域の情報を出力する指示を前記地域情報出力手段に行い、前記機関によって前記地域の情報が正しいと判断されたときには前記出力手段に前記デジタル信号を出力する指示を行うことを特徴とする受信装置。
【請求項４】
請求項２記載の受信装置において、
前記制御手段は、前記選択手段により前記地域情報保有機関に前記地域の情報を出力すると選択された場合に前記地域の情報を出力する指示を前記地域情報出力手段に行い、前記機関によって前記地域の情報が誤っていると判断されたときには前記出力手段に前記デジタル信号を出力しないよう指示することを特徴とする受信装置。
【請求項５】
請求項２記載の受信装置において、
前記制御手段は、前記選択手段により前記地域情報保有機関に前記地域の情報を出力すると選択された場合に前記地域の情報を出力する指示を前記地域情報出力手段に行い、前記機関によって前記地域の情報が誤っていると判断されたときには前記出力手段に前記デジタル信号を出力するための方法を出力するよう指示することを特徴とする受信装置。
【請求項６】
請求項１〜５いずれか１に記載の受信装置において、
前記制御手段は、前記選択手段により前記地域情報保有機関に前記地域の情報を出力しないと選択された場合には、前記地域の情報を出力しない指示を前記地域情報出力手段に行うことを特徴とする受信装置。
【請求項７】
請求項１〜５いずれか１に記載の受信装置において、
前記制御手段は、前記選択手段により前記地域情報保有機関に前記地域の情報を出力しないと選択された場合には、前記地域の情報を出力しない指示を前記地域情報出力手段に行うとともに前記デジタル信号を出力しない旨を前記出力手段に出力する指示を行うことを特徴とする受信装置。
【請求項８】
請求項１〜５いずれか１に記載の受信装置において、
前記制御手段は、前記選択手段により前記地域情報保有機関に前記地域の情報を出力しないと選択された場合には、前記地域の情報を出力しない指示を前記地域情報出力手段に行うとともに前記デジタル信号を出力するための他の方法を前記出力手段に出力する指示を行うことを特徴とする受信装置。
【請求項９】
インターネットプロトコルにより再送信された放送を受信する受信装置において、
受信される地域が限定され、前記限定された地域の情報を含む、インターネットプロトコルにより再送信された放送を受信する受信手段と、
前記受信手段で受信した放送を表示する表示手段と、
前記受信手段で受信した放送から前記限定された地域の情報を検出する検出手段と、
前記受信装置が所在する地域の情報を保有する機関と前記インターネットプロトコルを介して通信可能であり、
前記検出手段により検出された前記地域の情報を前記機関に出力する場合に  前記地域の情報を出力してよいか否かを確認するための情報を前記表示手段へ表示するよう前記表示手段を制御する表示制御手段とを備えることを特徴とする受信装置。
【請求項１０】
請求項９記載の受信装置において、
前記検出手段により検出された前記地域の情報が前記機関により正しいと判断された場合における当該地域の情報を記憶する記憶手段とを備え、
前記表示制御手段は、前記検出手段で検出された地域の情報と前記記憶手段に登録された地域の情報とが一致した場合には前記表示手段に放送を表示するよう前記表示手段を制御することを特徴とする受信装置。
【請求項１１】
請求項９記載の受信装置において、
前記検出手段により検出された前記地域の情報が前記機関により正しいと判断された場合における当該地域の情報を記憶する記憶手段とを備え、
前記表示制御手段は、前記検出手段で検出された地域の情報と前記記憶手段に登録された地域の情報とが一致しなかった場合には前記表示手段に放送を表示するための方法を表示するよう前記表示手段を制御することを特徴とする受信装置。
【請求項１２】
請求項１０又は１１記載の受信装置において、
前記記憶手段は記憶された情報を暗号化して送受信する暗号化手段を備えることを特徴とする受信装置。
【請求項１３】
請求項９〜１２いずれか１に記載の受信装置において、
前記記憶手段に記憶された情報を確認する際に、確認する者が登録を行った者であることを証明する証明手段を備えることを特徴とする受信装置。
【発明の詳細な説明】
【技術分野】
【０００１】
本発明は、例えば、インターネットプロトコルによる地上波デジタル放送の再送信のような受信地域が限定された放送を受信するのに好適な受信装置及び中継装置に関する。
【背景技術】
【０００２】
従来の地上デジタル放送は県域内での放送を基本としているため、インターネットプロトコル（ＩＰ）による再送信では、受信地域を県域内に限定するように制度上定められている。
【０００３】
デジタル放送にはデータ放送があり、そのサービスには天気予報など地域割に対応した気象情報と、地域割に対応させた郵便番号とでバイナリーテーブルを構成し放送している。その受信処理装置では、予め、ユーザによりリモコンなどの入力手段を用いて、メモリに居住地の郵便番号を記憶しておき、カルーセル伝送されたデータから記憶された郵便番号に対応する気象情報を取り出して、ユーザの居住地の天気予報を画面上に表示させている。
【０００４】
しかし、居住地の移転では、その地域の郵便番号を前記メモリに記憶し直す必要があり、手間のかかる作業が必要であった。
【０００５】
また、地上デジタル放送では、自動車や携帯電話など移動体において受信する場合にも同様の問題があった。
【０００６】
そこで、特許文献１記載の地域別情報受信装置では、受信処理装置に設けられたメモリに、入力手段を用いて、地域別情報を取得するデータ放送ないしチャンネルの指定と、該データ放送からデータを取得する日時および地域とを指定して条件設定ファイルとして格納しておく。受信処理装置は、デジタルデータ放送を受信して、条件設定ファイルに基づいて、指定されたデータ放送から指定された日時および地域での地域別情報を表示するようにしている。
【０００７】
【特許文献１】特開２００５−５１７４８号公報
【発明の開示】
【発明が解決しようとする課題】
【０００８】
しかしながら、上記特許文献１の技術によれば、本来受信対象でない地域外放送も受信できてしまうことになり、受信地域を限定する制度に反することになる。
【０００９】
よって本発明の目的は、例えば、インターネットプロトコルによる地上波デジタル放送の再送信のような地域を限定する放送において、ユーザが受信地域を限定された放送を受信地域外で受信することを防止するための受信装置あるいは中継装置を提供することにある。
【課題を解決するための手段】
【００１０】
上記目的を達成するために、特許請求の範囲に開示されている技術的思想を用いればよい。
【発明の効果】
【００１１】
本発明によれば、限定された受信地域以外で受信及び中継することを防止する際に個人情報をより確実に保護することができる。
【発明を実施するための最良の形態】
【００１２】
以下本発明の実施の形態を図面を用いて説明する。
【００１３】
まずは実施例１について説明する。
【００１４】
図１は、本発明の受信装置の一実施例を示すブロック図である。
【００１５】
１０はインターネットプロトコル（ＩＰ）による地上デジタル放送の再送信のような受信地域を限定した放送データを受信する受信装置、１は受信装置１０のデータ入力端子、２はモニタ等の表示手段、３は受信装置１０が所在する地域の情報を記憶する地域情報記憶手段、４はデータ入力端子から入力された、受信地域が限定された放送データに含まれる受信地域の情報を検出する地域情報検出手段、５は前記表示手段を制御する表示制御手段、６は表示制御手段５や地域情報記憶手段３からの出力を受け表示手段２にユーザへのメッセージを表示させる情報表示手段、５０はＩＰによる放送の再送信局社、７は地域情報記憶手段３に記憶された地域情報をＩＰによる放送の再送信局社５０との間で送受信する地域情報送受信手段である。
【００１６】
なお、表示手段２は、受信装置とは分離して外部に接続する構成でも良い。
【００１７】
リモコン（図示していない）等により地域情報記憶手段３に、前記受信装置１０の所在地の地域情報を記憶する。地域情報検出手段４では、データ入力端子１より入力された放送データから、その放送データの受信対象地域の地域情報を検出する。
【００１８】
表示制御手段５では、地域情報記憶手段３に記憶された地域情報と地域情報検出手段４で放送データから検出された地域情報を比較し、一致していれば、表示手段２を制御して、データ入力端子１から入力された放送データから映像音声などを表示させ、受信した放送データを視聴可能とする。一致していなければ、表示手段２を制御して、データ入力端子１から入力された放送データから映像音声などを表示させないようにし、受信した放送データを視聴不可能にする。
【００１９】
その場合には、表示制御手段５からの出力を受け、情報表示手段６は表示手段２に、受信した放送データの受信地域と受信装置１０の所在地が一致しないため、受信した放送データは視聴できない旨や、地上波放送の視聴、ビデオモニタとしての利用等の代替案を表示させ、ユーザに伝えることができる。
【００２０】
地域情報記憶手段３に受信装置１０の所在地の地域情報を登録する際には、ＩＰによる放送の再送信局社５０との双方向通信によって、ＩＰによる放送の再送信局社５０に登録されている情報との確認を行って正しい情報を登録しようとしているかの判断が行われる。
【００２１】
なお、ＩＰによる放送の再送信局社５０に登録されているユーザの居住地域の情報は、インターネット利用申込時に登録したユーザの氏名や住所等の個人情報を基に得られた居住地域の情報や、公の機関により認証された居住地域の情報等であり、上記リモコンによる地域情報の登録とは別手段で登録または認証された情報である。
【００２２】
また、地域情報記憶手段３に記憶されている情報は、受信装置１０の所有者の氏名やその住所等の個人情報を含んでいるので、地域情報記憶手段３に記憶されている情報を確認する際には、生体認証やパスワード等により確認する者が登録者本人であることの認証が行われる。
【００２３】
また、受信装置１０とＩＰによる放送の再送信局社５０との間で送受信される個人情報は、図示されていない暗号化手段により暗号化される。暗号化手段は地域情報記憶手段３、または地域情報送受信手段７に組み込まれている仕組みにしても良いし、単独で設けてもよい。
【００２４】
ＩＰによる放送の再送信局社５０に記憶されているユーザの居住地域の情報と、地域情報記憶手段３に記憶された地域情報が一致すれば、地域情報記憶手段３に記憶された地域情報はより正確であると判定できる。地域情報記憶手段３は、地域情報記憶手段３に記憶された地域情報の有効性を判定し、表示制御手段５を制御する。
【００２５】
すなわち、地域情報記憶手段３に記憶された地域情報が有効でないと判定された場合は、たとえ地域情報検出手段４の検出した地域情報と地域情報記憶手段３に記憶された地域情報が一致しても、表示制御手段５は入力された放送データの映像音声などを表示手段２に表示させないように制御する。
【００２６】
また、その場合には、情報表示手段６は表示制御手段５または地域情報記憶手段３からの出力を受け、表示手段２に、登録した地域情報が誤っている旨を表示させることや、地上波放送の視聴やビデオモニタとしての利用といった代替案を表示させることができる。これにより、地域情報記憶手段３に地域情報を登録する際の誤りや不正登録等を防止する効果がある。
【００２７】
ここで、地域情報の登録と放送データからの検出について、具体的に説明する。地域情報記憶手段３に地域情報を登録するための入力方法としては、図に記載していないがリモコン等によって行う。リモコンの数字ボタンで受信装置１０の所在地の郵便番号を入力する方法や、表示手段２に表示された県名または地域名の中からリモコンの上下ボタンあるいは上下左右ボタンで選択域が変化するスクロールキーなどで受信装置１０の所在地を選択する方法等がある。
【００２８】
なお、地上波放送の放送域は、関東、近畿、中京の広域あるいは県域放送であるので、県単位で記憶することで十分と考える。
【００２９】
また、地域情報検出手段４では、データ入力端子１から入力された放送データから、その放送データの受信対象地域の地域情報を検出する。地上デジタル放送では、各放送局から送出される信号には地域情報を含む「ネットワーク識別番号」が付加されて送信されている。
【００３０】
図２は、地域情報に関し、各放送局に割り当てられているネットワーク識別番号の一例（関東広域地区の場合）を示す図である。そのネットワーク識別番号は、地域識別番号（地域情報）と地域事業者識別番号から構成されており、ネットワーク識別番号から地域識別番号（地域情報）を抽出することができる。
【００３１】
図３は、各地域の地域識別番号の一例を示す図である。地域識別番号は、関東、近畿、中京の広域あるいは県域で番号に分けられている。
【００３２】
なお、図２、図３のデータは、（社）電波産業会の運用規定ＡＲＩＢ  ＴＲ−Ｂ１４「地上デジタルテレビジョン放送運用規定技術資料」に記載されているものである。
【００３３】
図４は、受信装置１０の制御動作を示すフローチャート図である。
【００３４】
ステップＳ１０１では、ユーザが受信装置１０の所在地の地域情報を地域情報記憶手段３に記憶する。
【００３５】
ステップＳ１０２では、ユーザが記憶しようとしている受信装置１０の所在地の地域情報を、ＩＰによる放送の再送信局社５０との間で送受信するか否かを表示手段２に表示する。
【００３６】
ステップＳ１０３では、ユーザが受信装置１０の所在地の地域情報についてＩＰによる放送の再送信局社５０との間で送受信することを許諾したかどうかを検出する。許諾した場合にはステップＳ１０４に進み、許諾しなかった場合にはステップＳ１０５へ進む。
【００３７】
ステップＳ１０５では、受信装置１０の所在地の地域情報を、ＩＰによる放送の再送信局社５０との間で送受信できないことにより地域情報記憶手段３に受信装置１０の所在地の地域情報を記憶することができないこと、そのためＩＰにより再送信された放送を視聴できないことを表示手段２に表示する。
【００３８】
さらに地上波放送を視聴することやビデオモニタとしての利用といった代替案を表示手段２に表示する。
【００３９】
ステップＳ１０４では、ステップＳ１０１でユーザが登録した受信装置１０の所在地の地域情報をＩＰによる放送の再送信局社５０に送信する。
【００４０】
ステップＳ１０６では、Ｓ１０１でユーザが地域情報記憶手段３に登録した受信装置０の所在地の地域情報と、前記再送信局社５０が保有する受信装置１０のユーザの居住地域の情報とが一致するかどうかを、受信装置１０または前記再送信局社５０により比較される。
【００４１】
その結果、ユーザが地域情報記憶手段３に登録した受信装置１０の所在地の地域情報と前記再送信局社５０が保有する受信装置１０のユーザの居住地域の情報とが一致したと受信装置１０または前記再送信局社５０により判断された場合は、ステップＳ１０７へ進む。
【００４２】
一方、ユーザが地域情報記憶手段３に登録した受信装置１０の所在地の地域情報とＩＰによる放送の再送信局社５０が保有する受信装置１０のユーザの居住地域の情報とが一致しない受信装置１０または前記再送信局社５０により判断された場合は、ステップＳ１０８へ進む。
【００４３】
ステップＳ１０７では、ステップＳ１０１でユーザが地域情報記憶手段３に登録した受信装置１０の所在地の地域情報を有効にする。
【００４４】
ステップＳ１０８では、ステップＳ１０１でユーザが地域情報記憶手段３に登録した受信装置１０の所在地の地域情報を無効とし、ステップＳ１０１でユーザが受信装置１０に登録した受信装置１０の所在地の地域情報とＩＰによる放送の再送信局社５０が保有する受信装置１０のユーザの居住地域の情報とが一致しないこと、そのためＩＰによる放送の再送信を視聴できないことを表示手段２に表示する。
【００４５】
さらに地上波放送を視聴することやビデオモニタとしての利用といった代替案を表示手段２に表示する。
【００４６】
ステップＳ１０９では、地域情報検出手段４が入力されたＩＰにより再送信された放送データから受信地域の情報を検出する。
【００４７】
ステップＳ１１０では、地域情報検出手段４が検出したＩＰにより再送信された放送データの受信地域の情報が、地域情報記憶手段３に記憶されている受信装置１０が所在する地域の情報と一致するかどうか比較する。比較した結果、一致した場合はステップＳ１１１へ、一致しなかった場合はステップＳ１１２へ進む
ステップＳ１１１では、ＩＰにより再送信された放送を表示手段２に表示する。
【００４８】
ステップＳ１１２では、ＩＰにより再送信された放送の視聴を不可とする。
【００４９】
ステップＳ１１３では、受信したＩＰにより再送信された放送データの受信地域と受信装置１０の所在地が一致しないため、受信したＩＰにより再送信された放送データは視聴できない旨を表示する。さらに地上波放送を視聴することやビデオモニタとしての利用といった代替案を表示手段２に表示する。
【００５０】
本実施例によれば、受信装置１０に記憶された受信装置１０の所在地の地域情報と、ＩＰにより再送信された放送の受信地域の情報とが一致しない場合は、ＩＰにより再送信された放送を視聴不可とできるため、ＩＰによる地上デジタル放送の再送信等において、受信地域を限定することがより確実に実行できる。
【００５１】
また、ＩＰによる放送の再送信局社５０が保有する受信装置１０のユーザの居住地域の情報と、地域情報記憶手段３に記憶された受信装置１０の所在地の情報とを比較することで、地域情報記憶手段３に記憶された受信装置１０の所在地の情報がより正確であることが確認できる。
【００５２】
また、地域情報記憶手段３に記憶された受信装置１０の所在地の情報の送受信に関して、送受信を行うことの許諾画面を設けることで、個人情報の使用許諾確認もでき、個人情報を管理することができる。
【００５３】
また、地域情報記憶手段３に記憶されている受信装置１０の所有者の氏名やその住所等の個人情報を確認する際には、生体認証やパスワード等により確認する者が登録者本人であることの認証を行う手段が設けられ、個人情報の保護が行われる。
【００５４】
また、受信装置２０に個人情報を暗号化する手段を設けることで、受信装置１０と前記再送信局社５０との間で送受信される個人情報は保護される。
【００５５】
本実施例においてはＩＰによる放送の再送信局社５０が保有するユーザの居住地域の情報を用いて地域情報記憶手段３に記憶された受信装置１０の所在地の情報が正確かどうかを判断したが、ＩＰによる放送の再送信局社５０の代わりに、受信装置１０のユーザの個人情報を保有し、受信装置１０に記憶された地域情報が正確かどうかを判断する機関を別に設けても良い。
次に実施例２を説明する。
【００５６】
図５は、本発明の中継装置の一実施例を示すブロック図である。２０はインターネットプロトコル（ＩＰ）による放送データの伝送経路に設置される、ルータ等の中継装置で、受信地域が限定されている放送データを受信し、テレビ等の外部機器へ出力する。
【００５７】
１１は中継装置２０へインターネットプロトコル（ＩＰ）による放送データを入力するデータ入力端子、２１はデータ入力端子１１から入力された放送データをテレビ等の外部機器へ出力する出力端子、２２は中継装置２０を制御するためのパソコン等の外部制御手段を接続する接続端子、１２はデータ入力端子１１から入力された放送データを遮断する機能を有する出力手段、１３は中継装置２０が所在する地域の情報を記憶する地域情報記憶手段、１４はデータ入力端子１１から入力された、受信地域が限定された放送データに含まれる受信地域の情報を検出する地域情報検出手段、１５は出力手段１２を制御する出力制御手段、１６は出力制御手段１５や地域情報記憶手段１３からの出力を受け、出力手段１２または接続端子２２に、例えば「受信地域でないため、データを出力できない」等のユーザへのメッセージを出力させる情報表示手段、５０はＩＰによる放送の再送信局社、１７は地域情報記憶手段１３に記憶された地域情報をＩＰによる放送の再送信局社５０との間で送受信する地域情報送受信手段である。
【００５８】
接続端子２２に接続されたパソコン等の外部制御手段により、地域情報記憶手段１３へ前記中継装置２０の所在地の地域情報を登録する。
【００５９】
地域情報検出手段１４では、データ入力端子１１より入力された放送データから、その放送データの受信対象地域の情報を検出する。
【００６０】
出力制御手段１５では、地域情報記憶手段１３に記憶された地域情報と地域情報検出手段１４で放送データから検出された地域情報を比較し、一致していれば、出力手段１２を制御して、データ入力端子１１から入力された放送データを出力可能とする。一致していなければ、出力手段１２を制御して、データ入力端子１１から入力された放送データを出力不可能にする。
【００６１】
出力不可能の場合には、出力制御手段１５からの出力を受け、情報表示手段１６は接続端子２２、または出力手段１２に、受信した放送データの受信地域と中継装置２０の所在地が一致しないため、中継した放送データは出力できない旨や、地上波放送の中継等の代替案を出力させ、ユーザに伝えることができる。
【００６２】
地域情報記憶手段１３に中継装置２０の所在地の地域情報を登録する際には、ＩＰによる放送の再送信局社５０との双方向通信によって、ＩＰによる放送の再送信局社５０が保有する中継装置２０のユーザの居住地域の情報と、中継装置２０の所在地の地域情報とを比較し、地域情報記憶手段１３に記憶される中継装置２０の所在地の情報がより正確であるか否かの判断が行われる。
【００６３】
なお、ＩＰによる放送の再送信局社５０に登録されているユーザの居住地域の情報は、インターネット利用申込時に登録したユーザの氏名や住所等の個人情報を基に得られた居住地域の情報や、公の機関により認証された居住地域の情報等であり、接続端子２２に接続されたパソコン等の外部制御手段による地域情報の登録とは別手段で登録または認証された情報である。
【００６４】
また、地域情報記憶手段１３に記憶される情報は、中継装置２０の所有者の氏名やその住所等の個人情報を含んでいるので、地域情報記憶手段１３に記憶される情報を確認する際には、生体認証やパスワード等により確認する者が登録者本人であることの認証が行われる。
【００６５】
また、中継装置２０とＩＰによる放送の再送信局社５０との間で送受信される個人情報は、図示されていない暗号化手段により暗号化される。暗号化手段は地域情報記憶手段１３、または地域情報送受信手段１７に組み込まれている仕組みにしても良いし、単独で設けてもよい。
【００６６】
ＩＰによる放送の再送信局社５０に記憶されているユーザの居住地域の情報と、地域情報記憶手段１３に記憶された地域情報が一致すれば、地域情報記憶手段１３に記憶された地域情報はより正確であると判定できる。地域情報記憶手段１３は、地域情報記憶手段１３に記憶された地域情報の有効性を判定し、表示制御手段１５を制御する。
【００６７】
すなわち、地域情報記憶手段１３に記憶された地域情報が有効でないと判定された場合は、たとえ地域情報検出手段１４の検出した地域情報と地域情報記憶手段１３に記憶された地域情報が一致しても、表示制御手段１５は入力された放送データの映像音声などを出力手段１２に表示させないように制御する。
【００６８】
また、その場合には、情報表示手段１６は表示制御手段１５、または地域情報記憶手段１３からの出力を受け、出力手段１２に、登録した地域情報が誤っている旨を出力させることや、地上波放送の中継等の代替案を出力させること、または接続端子２２に接続されたパソコン等の外部制御手段に登録した地域情報が誤っている旨を表示させることや、地上波放送の中継等の代替案を表示させることができる。これにより、地域情報記憶手段１３に地域情報を登録する際の誤りや不正登録等を防止する効果がある。
【００６９】
図６は、中継装置２０の制御動作を示すフローチャート図である。ステップＳ２０１では、ユーザが中継装置２０の所在地の地域情報を地域情報記憶手段１３に登録する。
【００７０】
ステップＳ２０２では、ユーザが登録しようとしている中継装置２０の所在地の地域情報を、ＩＰによる放送の再送信局社５０との間で送受信するか否かを接続端子２２に接続されたパソコン等の外部制御手段に表示、または出力手段１２に出力する。
【００７１】
ステップＳ２０３では、ユーザが中継装置２０の所在地の地域情報についてＩＰによる放送の再送信局社５０との間で送受信することを許諾したかどうかを検出する。許諾した場合にはステップＳ２０４に進み、許諾しなかった場合にはステップＳ２０５へ進む。
【００７２】
ステップＳ２０５では、中継装置２０の所在地の地域情報を、ＩＰによる放送の再送信局社５０との間で送受信できないことにより地域情報記憶手段１３に中継装置２０の所在地の地域情報を記憶することができないこと、そのためＩＰにより再送信された放送を視聴できないことを接続端子２２に接続されたパソコン等の外部制御手段に表示、または出力手段１２に出力する。
【００７３】
さらに地上波放送を視聴することやビデオモニタとしての利用といった代替案を接続端子２２に接続されたパソコン等の外部制御手段に表示、または出力手段１２に出力する。
【００７４】
ステップＳ２０４では、ステップＳ２０１でユーザが登録した中継装置２０の所在地の地域情報をＩＰによる放送の再送信局社５０に送信する。
【００７５】
ステップＳ２０６では、Ｓ２０１でユーザが地域情報記憶手段１３に登録した中継装置２０の所在地の地域情報と、ＩＰによる放送の再送信局社５０が保有する中継装置２０のユーザの居住地域の情報とが一致するかどうかを、中継装置２０または前記再送信局社５０により比較される。
【００７６】
その結果、ユーザが地域情報記憶手段１３に登録した中継装置２０の所在地の地域情報とＩＰによる放送の再送信局社５０が保有する中継装置２０のユーザの居住地域の情報とが一致したと中継装置２０または前記再送信局社５０により判断された場合は、ステップＳ２０７へ進む。
【００７７】
一方、ユーザが地域情報記憶手段１３に登録した中継装置２０の所在地の地域情報とＩＰによる放送の再送信局社５０が保有する中継装置２０のユーザの居住地域の情報とが一致しないと中継装置２０または前記再送信局社５０により判断された場合は、ステップＳ２０８へ進む。
【００７８】
ステップＳ２０７では、ステップＳ２０１でユーザが地域情報記憶手段１３に登録した中継装置２０の所在地の地域情報を有効にする。
【００７９】
ステップＳ２０８では、ステップＳ２０１でユーザが地域情報記憶手段１３に登録した中継装置２０の所在地の地域情報を無効とし、ステップＳ２０１でユーザが地域情報記憶手段１３に登録した中継装置２０の所在地の地域情報とＩＰによる放送の再送信局社５０が保有する中継装置２０のユーザの居住地域の情報とが一致しないこと、そのためＩＰによる放送の再送信を視聴できないことを接続端子２２に接続されたパソコン等の外部制御手段に表示、または出力手段１２に出力する。
【００８０】
さらに地上波放送を視聴することやビデオモニタとしての利用といった代替案を接続端子２２に接続されたパソコン等の外部制御手段に表示、または出力手段１２に出力する。
【００８１】
ステップＳ２０９では、地域情報検出手段１４が、入力されたＩＰにより再送信された放送データから受信地域の情報を検出する。
【００８２】
ステップＳ２１０では、地域情報検出手段１４が検出したＩＰにより再送信された放送データの受信地域の情報が、地域情報記憶手段１３に記憶されている中継装置２０が所在する地域の情報と一致するかどうか比較する。比較した結果、一致した場合はステップＳ２１１へ、一致しなかった場合はステップＳ２１２へ進む
ステップＳ２１１では、ＩＰにより再送信された放送を出力手段１２に出力する。
【００８３】
ステップＳ２１２では、ＩＰにより再送信された放送の出力を不可とする。
【００８４】
ステップＳ２１３では、受信したＩＰにより再送信された放送データの受信地域と中継装置２０の所在地が一致しないため、受信したＩＰにより再送信された放送データは出力できない旨を表示する。
【００８５】
さらに地上波放送を中継等の代替案を接続端子２２に接続されたパソコン等の外部制御手段に表示、または出力手段１２に出力する。
【００８６】
本実施例によれば、中継装置２０に記憶された中継装置２０の所在地の地域情報と、ＩＰにより再送信された放送の受信地域の情報とが一致しない場合は、ＩＰにより再送信された放送を中継不可とできるため、ＩＰによる地上デジタル放送の再送信等において、受信地域を限定することがより確実に実行できる。
【００８７】
また、ＩＰによる放送の再送信局社５０が保有する中継装置２０のユーザの居住地域の情報と、地域情報記憶手段１３に記憶された中継装置２０の所在地の情報とを比較することで、地域情報記憶手段１３に記憶された中継装置２０の所在地の情報がより正確であることが確認できる。
【００８８】
また、地域情報記憶手段１３に記憶された中継装置２０の所在地の情報の送受信に関して、送受信を行うことの許諾確認を行うことで、個人情報の使用許諾確認もでき、個人情報を管理することができる。
【００８９】
また、地域情報記憶手段１３に記憶されている中継装置２０の所有者の氏名やその住所等の個人情報を確認する際には、生体認証やパスワード等により確認する者が登録者本人であることの認証を行う手段が設けられ、個人情報の保護が行われる。
【００９０】
また、中継装置２０に個人情報を暗号化する手段を設けることで、中継装置２０と前記再送信局社５０との間で送受信される個人情報は保護される。
【００９１】
本実施例においてはＩＰによる放送の再送信局社５０が保有するユーザの居住地域の情報を用いて地域情報記憶手段１３に記憶された中継装置２０の所在地の情報が正確かどうかを判断したが、ＩＰによる放送の再送信局社５０の代わりに、中継装置２０のユーザの個人情報を保有し、中継装置２０に記憶された地域情報が正確かどうかを判断する機関を別に設けても良い。
【００９２】
上述してきた実施例の受信装置をまとめると、以下のようにも表現可能である。
【００９３】
例えば、デジタル信号を受信する受信装置において、地域の情報を入力する入力手段と、前記デジタル信号を出力する出力手段と、前記入力手段により入力された前記地域の情報を、前記受信装置に接続された前記受信装置が所在する地域の情報を保有する地域情報保有機関に出力する地域情報出力手段と、前記地域情報出力手段により前記地域の情報を出力する場合に、前記地域の情報を前記地域情報保有機関に出力するか否かを選択する選択手段と、を備えることを特徴とする受信装置。
【００９４】
このように、例えば、外部機関である地域情報保有機関に地域情報、あるいは地域情報を含む個人情報（名前、年齢、性別、メールアドレスなど）を送信する前などにそれを本当に送信していいかどうかを確認するための選択画面を出力すれば、ユーザは誤って個人情報を外部機関に送信してしまう恐れを解消できる。
【００９５】
この場合、前記選択手段に選択された結果に基づいて前記受信したデジタル信号を出力するかどうかを決定する制御手段を備えてもよい。
【００９６】
また、前記制御手段は、前記選択手段により前記地域情報保有機関に前記地域の情報を出力すると選択された場合に前記地域の情報を出力する指示を前記地域情報出力手段に行い、前記機関によって前記地域の情報が正しいと判断されたときには前記出力手段に前記デジタル信号を出力する指示を行うように構成しても良い。
【００９７】
また、前記制御手段は、前記選択手段により前記地域情報保有機関に前記地域の情報を出力すると選択された場合に前記地域の情報を出力する指示を前記地域情報出力手段に行い、前記機関によって前記地域の情報が誤っていると判断されたときには前記出力手段に前記デジタル信号を出力しないよう指示するか、あるいは、デジタル信号を出力するための代替方法を提示させ、その代替方法によってはデジタル信号を出力させる指示する構成にしても良い。
【００９８】
このように構成すれば、例えば、神奈川に居住しているのに地域限定（例えば、大阪限定）の番組を視聴しようとするユーザであっても、通常ならば見られない番組をある代替方法によって見ることも可能となる。
【００９９】
代替方法としては、例えば、所定の料金を支払わせるようにする、所定の装置を購入させてそれを介して視聴可能とするといったことなども考えられ、これは、番組等を提供するサービス業者の方針に合わせて種々選択できるものである。
【０１００】
具体的には、受信装置は、こういった代替案を示すデータを予め記憶しておき、前記地域情報保有機関によって正しいと認められなかった場合には、ディスプレイ等の表示画面にその代替方法を文字やアイコン等を用いて出力するように制御する制御手段を設けるようにすれば実現できる。
【０１０１】
また、前記制御手段は、前記選択手段により前記地域情報保有機関に前記地域の情報を出力しないと選択された場合には、前記地域の情報を出力しない指示を前記地域情報出力手段に行うことを特徴とする受信装置。
【０１０２】
また、前記制御手段は、前記選択手段により前記地域情報保有機関に前記地域の情報を出力しないと選択された場合には、前記地域の情報を出力しない指示を前記地域情報出力手段に行うとともに前記デジタル信号を出力しない旨を前記出力手段に出力する指示を行うことを特徴とする受信装置。
【０１０３】
このように、例えば、外部機関によって正規の機器である又は正規のユーザであると認証を受けた場合に限って放送などのデジタル信号を出力可能とすることで、ユーザの悪意ある地域外受信を防止することができる。
【０１０４】
また、前記制御手段は、前記選択手段により前記地域情報保有機関に前記地域の情報を出力しないと選択された場合には、前記地域の情報を出力しない指示を前記地域情報出力手段に行うとともに前記デジタル信号を出力するための他の方法を前記出力手段に出力する指示を行うように構成しても良い。
【０１０５】
また、インターネットプロトコルにより再送信された放送を受信する受信装置において、受信される地域が限定され、前記限定された地域の情報を含む、インターネットプロトコルにより再送信された放送を受信する受信手段と、前記受信手段で受信した放送を表示する表示手段と、前記受信手段で受信した放送から前記限定された地域の情報を検出する検出手段と、前記受信装置が所在する地域の情報を保有する機関と前記インターネットプロトコルを介して通信可能であり、
前記検出手段により検出された前記地域の情報を前記機関に出力する場合に  前記地域の情報を出力してよいか否かを確認するための情報を前記表示手段へ表示するよう前記表示手段を制御する表示制御手段とを備えることを特徴とする受信装置。
【０１０６】
また、前記検出手段により検出された前記地域の情報が前記機関により正しいと判断された場合における当該地域の情報を記憶する記憶手段とを備え、前記表示制御手段は、前記検出手段で検出された地域の情報と前記記憶手段に登録された地域の情報とが一致した場合には前記表示手段に放送を表示するよう前記表示手段を制御することを特徴とする受信装置。
【０１０７】
また、前記検出手段により検出された前記地域の情報が前記機関により正しいと判断された場合における当該地域の情報を記憶する記憶手段とを備え、前記表示制御手段は、前記検出手段で検出された地域の情報と前記記憶手段に登録された地域の情報とが一致しなかった場合には前記表示手段に放送を表示するための方法を表示するよう前記表示手段を制御することを特徴とする受信装置。
【０１０８】
また、前記記憶手段は記憶された情報を暗号化して送受信する暗号化手段を備えることを特徴とする受信装置。
【０１０９】
また、前記記憶手段に記憶された情報を確認する際に、確認する者が登録を行った者であることを証明する証明手段を備えることを特徴とする受信装置
【図面の簡単な説明】
【０１１０】
【図１】本発明の受信システムの一実施例を示すブロック図。
【図２】地域情報に関し、各放送局に割り当てられているネットワーク識別番号の一例を示す図。
【図３】各地域の地域識別番号の一例を示す図。
【図４】図１の受信システムの制御動作を示すフローチャート図。
【図５】本発明の中継システムの一実施例を示すブロック図。
【図６】図５の中継システムの制御動作を示すフローチャート図。
【符号の説明】
【０１１１】
１，１１…データ入力端子、２…表示手段、３，１３…地域情報記憶手段、４，１４…地域情報検出手段、５…表示制御手段、６，１６…情報表示手段、７，１７…地域情報送受信手段、１０…受信システム、１２…出力手段、１５…出力制御手段、２０…中継システム、２１…データ出力端子、２２…外部制御手段接続端子、５０…ＩＰによる放送の再送信局社
【図１】
2007329783.tif 000003
【図２】
2007329783.tif 000004
【図３】
2007329783.tif 000005
【図４】
2007329783.tif 000006
【図５】
2007329783.tif 000007
【図６】
2007329783.tif 000008